(57)【要約】【課題】天井や床に見栄えの悪い加工を施す必要がなく、仕切りの設置や仕切りパターンの変更を短時間にかつ容易に施すことができ、構造も簡単であり、コストも低廉な空間仕切り装置および空間仕切り方法を提供すること。【解決手段】空間の天井部および床部の少なくとも一方に設置される強磁性体部材と、吸磁力の大きさを変化させて前記強磁性体部材の表面に着脱自在に取付けられる磁力固定部材と、前記磁力固定部材に支持されて当該磁力固定部材より下方および上方の少なくとも一方の空間を仕切る空間仕切り部材とを有することを特徴とする。【選択図】  図１
2011157732.tif 000002
【特許請求の範囲】
【請求項１】
空間の天井部および床部の少なくとも一方に設置される強磁性体部材と、吸磁力の大きさを変化させて前記強磁性体部材の表面に着脱自在に取付けられる磁力固定部材と、前記磁力固定部材に支持されて当該磁力固定部材より下方および上方の少なくとも一方の空間を仕切る空間仕切り部材とを有することを特徴とする空間仕切り装置。
【請求項２】
前記強磁性体部材は、薄鋼板により形成されていることを特徴とする請求項１に記載の空間仕切り装置。
【請求項３】
前記磁力固定部材は、吸磁力を有する永久磁石と、前記永久磁石による吸磁力を変更させる吸磁力変更部材とを有することを特徴とする請求項１または請求項２に記載の空間仕切り装置。
【請求項４】
前記空間仕切り部材は、単数若しくは複数の前記磁力固定部材によって支持されていることを特徴とする請求項１乃至３のいずれか１項に記載の空間仕切り装置。
【請求項５】
前記空間仕切り部材は、空間の仕切り状態を可変自在に形成されていることを特徴とする請求項１から請求項４のいずれか１項に記載の空間仕切り装置。
【請求項６】
前記空間仕切り部材は、天井から床までの全体または中途部を仕切るように形成されていることを特徴とする請求項１乃至５のいずれか１項に記載の空間仕切り装置。
【請求項７】
前記空間仕切り部材は、当該空間仕切り部材単独または壁部材と合わせることによって水平断面を閉じた閉領域を形成していることを特徴とする請求項１乃至６のいずれか１項に記載の空間仕切り装置。
【請求項８】
前記空間仕切り部材は、カーテン、アコーデオンカーテン、ブラインド、パネル、ドア、引き戸の１種または複数種を組合わせて形成されている特徴とする請求項１乃至７のいずれか１項に記載の空間仕切り装置。
【請求項９】
請求項１から請求項８までに記載されている空間仕切り装置によって天井から床までの空間の少なくとも一部を仕切ることを特徴とする空間仕切り方法。
【発明の詳細な説明】
【技術分野】
【０００１】
本発明は空間仕切り装置および空間仕切り方法に係り、特に空間の仕切りパターンの変更を簡易に実行する仕切りに好適な空間仕切り装置および空間仕切り方法に関する。
【背景技術】
【０００２】
従来から店舗内、会議室、住宅の部屋等の空間を利用目的に応じて仕切るために、カーテン、アコーデオンカーテン、ブラインド、パネル、ドア、引き戸等からなる仕切り部材の１種若しくは複数種を組合わせて利用していた。
【０００３】
この種の仕切り部材の位置交換を円滑に行うために各種の提案がなされている（例えば、特許文献１および特許文献２参照）。
【先行技術文献】
【特許文献】
【０００４】
【特許文献１】特開２００２−２４２３４２号公報
【特許文献２】特開２００５−２８２０８５号公報
【発明の概要】
【発明が解決しようとする課題】
【０００５】
前記従来の仕切り手法においては、天井や床に仕切り部材を支持するレール等の支持部材を埋め込んだり、ボルト・ナット、釘等の緊締具を用いて固定していた。
【０００６】
このような従来の仕切り手法によっては次のような不都合があった。
【０００７】
例えば、仕切りを新設する場合には、天井や床に仕切り部材を支持するレール等の支持部材を埋め込んだり、ボルト・ナット、釘等の緊締具を用いて固定する作業が必要であり、設置に長時間を要するという不都合があった。
【０００８】
また、模様替え即ち仕切りパターンを変更する場合には、既設の支持部材および仕切り部材を取り外し、新しい模様替えに対応した支持部材および仕切り部材を再設置するが、この取り外しおよび再設置の作業に長時間を要するという不都合があった。更に、見栄えの悪い天井部および床部における既設の支持部材の設置跡を修復する必要があるため、構造上の欠陥があり、更にコストも高いという不都合があった。
【０００９】
本発明は、これらの問題点に鑑みてなされたものであり、天井や床に見栄えの悪い加工を施す必要がなく、仕切りの設置や仕切りパターンの変更を短時間にかつ容易に施すことができ、構造も簡単であり、コストも低廉な空間仕切り装置および空間仕切り方法を提供することを目的とする。
【課題を解決するための手段】
【００１０】
前記目的を達成するために、本発明の第１の態様の空間仕切り装置は、空間の天井部および床部の少なくとも一方に設置される強磁性体部材と、吸磁力の大きさを変化させて前記強磁性体部材の表面に着脱自在に取付けられる磁力固定部材と、前記磁力固定部材に支持されて当該磁力固定部材より下方および上方の少なくとも一方の空間を仕切る空間仕切り部材とを有することを特徴とする。
【００１１】
このような構成の本発明によれば、強磁性体部材を天井若しくは床を形成する部材として設置することができるので、天井および床の見栄えはよく、天井若しくは床を形成する強磁性体部材に磁力固定部材を吸磁力を変化させて着脱させることにより仕切り部材を強磁性体部材に設置したり、その設置位置を変更させることができるので、仕切りの設置や仕切りパターンの変更を短時間にかつ容易に施すことができる。更に、既設の設置跡の修復作業も不要となる。
【００１２】
また、本発明の第２の態様の空間仕切り装置は、前記強磁性体部材が、薄鋼板により形成されていることを特徴とする。
【００１３】
このような構成の本発明によれば、強磁性体部材が薄鋼板であるために、天井若しくは床に設置容易であり、しかも既設の天井および床にも簡単に設置することができる。
【００１４】
また、本発明の第３の態様の空間仕切り装置は、前記磁力固定部材が、吸磁力を有する永久磁石と、前記永久磁石による吸磁力を変更させる吸磁力変更部材とを有することを特徴とする。
【００１５】
このような構成の本発明によれば、吸磁力変更部材を操作することにより永久磁石による吸磁力を変更させることができ、天井若しくは床を形成する強磁性体部材に対して磁力固定部材を容易に着脱させることができ、作業時間を短縮させることができる。
【００１６】
また、本発明の第４の態様の空間仕切り装置は、前記空間仕切り部材が、単数若しくは複数の前記磁力固定部材によって支持されていることを特徴とする。
【００１７】
このような構成の本発明によれば、磁力固定部材による空間仕切り部材の支持方式を複数設けることができ、多様な設置手法を利用することができる。
【００１８】
また、本発明の第５の態様の空間仕切り装置は、前記空間仕切り部材が、空間の仕切り状態を可変自在に形成されていることを特徴とする。
【００１９】
このような構成の本発明によれば、空間仕切り部材を操作することにより、例えば、仕切り状態を開閉させるように変化させることができる。
【００２０】
また、本発明の第６の態様の空間仕切り装置は、前記空間仕切り部材が、天井から床までの全体または中途部を仕切るように形成されていることを特徴とする。
【００２１】
このような構成の本発明によれば、天井から床までの仕切り領域を目的に応じて変更させることができる。
【００２２】
また、本発明の第７の態様の空間仕切り装置は、当該空間仕切り部材単独または壁部材と合わせることによって水平断面を閉じた閉領域を形成していることを特徴とする。
【００２３】
このような構成の本発明によれば、水平断面を閉じた閉領域を種々のプライベート空間として提供することができる。
【００２４】
また、本発明の第８の態様の空間仕切り装置は、前記空間仕切り部材が、カーテン、アコーデオンカーテン、ブラインド、パネル、ドア、引き戸の１種または複数種を組合わせて形成されている特徴とする。
【００２５】
このような構成の本発明によれば、各種の目的に対応して空間仕切り部材を選択して利用することができる。
【００２６】
また、本発明の空間仕切り方法は、前記第１から第８の態様に記載されている空間仕切り装置によって天井から床までの少なくとも一部の空間を仕切ることを特徴とする。
【００２７】
このような構成の本発明によれば、天井や床に見栄えの悪い加工を施す必要がなく、仕切りの設置や仕切りパターンの変更を短時間にかつ容易に施すことができる。
【発明の効果】
【００２８】
本発明装置を用いて本発明方法を実施することにより、天井や床に見栄えの悪い加工を施す必要がなく、仕切りの設置や仕切りパターンの変更を短時間にかつ容易に施すことができ、構造も簡単であり、コストも低廉な空間仕切りを提供することができる。
【図面の簡単な説明】
【００２９】
【図１】本発明の空間仕切り装置および空間仕切り方法の第１実施形態を示す斜視図
【図２】図１の一部縦断拡大正面図
【図３】本発明の空間仕切り装置および空間仕切り方法の第２実施形態を示す斜視図
【図４】本発明の空間仕切り装置および空間仕切り方法の第３実施形態を示す正面図
【発明を実施するための形態】
【００３０】
以下、本発明の実施の形態を図１から図４について、詳細に説明する。
【００３１】
図１および図２は本発明の空間仕切り装置および空間仕切り方法の第１実施形態を示す。
【００３２】
本実施形態の空間仕切り装置は、天井１から吊下するようにして形成されている。
【００３３】
更に説明すると、天井１の表面側の全面に強磁性体部材としての薄鋼板２が接着若しくは鋲止め等の固着方法によって天井１と一体となるように形成されている。薄鋼板２の表面には後述する磁力固定部材３の吸磁力を阻害しない程度の天井を装飾する樹脂層（有機樹脂、有機樹脂フィルム、無機物、あるいはこれらを組み合わせたもの）印刷層等の被覆等が施されていてもよい。薄鋼板２の板厚については、５０μｍ〜１０００μｍの範囲から空間を仕切る目的、吸磁力の大きさ等に応じて選択するとよい。また、薄鋼板２の設置領域は天井１の全体とする他に、予め設計された磁力固定部材３の位置変更位置に合わせた天井１の一部分としても良い。更に、薄鋼板２に変えて天井部を形成する梁材等の鋼材としても良い。
【００３４】
薄鋼板２の表面としての下面には、吸磁力の大きさを変化させて強磁性体部材である薄鋼板２に着脱自在に取付けられる磁力固定部材３が固着されている。この磁力固定部材３としては、例えば特開２０００−１１４０３２号公報等に開始されている公知の構成の装置を用いるとよい。具体的には、磁力固定部材３の外ケース４の内部に永久磁石５が内蔵されており、レバー６ａをもって回転させられて永久磁石５による吸磁力をオン・オフに変更させる吸磁力変更部材６を主たる構成要素として形成されているとよい。その吸磁力の大きさは、吊下する空間仕切り部材７の総重量を余裕をもって吊下支持できる大きさに設定するとよい。
【００３５】
本実施形態においては、空間仕切り部材７としてカーテン８を用いるとともに、水平断面をコ字形とされたカーテン８と壁部材９とによって水平断面が閉領域とされた空間を開閉可能に形成して、例えば衣服の試着室を形成している。そのため、本実施形態においては、３辺からなるコ字形にカーテン８を設置するために、３辺の各端部に相当する４箇所にそれぞれ磁力固定部材３を設け、各磁力固定部材３の間にカーテンレール１０を展張するように装着し、３辺のカーテンレール１０にフック１１をもってカーテン８を吊下げて設置している。
【００３６】
次に、本実施形態の作用を説明する。
【００３７】
本実施形態の空間仕切り装置を設置するには、予め天井１に強磁性体部材である薄鋼板２を天井を形成する部材として固着させておく。これにより天井１には従来のような支持部材を設置する必要がなくなり、天井の見栄えが非常に優れたものとなる。
【００３８】
更に、強磁性体部材が薄鋼板２であるために、天井１に設置容易であり、しかも既設の天井にも簡単に設置することができる。
【００３９】
そして、本実施形態の空間仕切り装置を天井１に装着するには、４個の磁力固定部材３、３辺のカーテンレール１０およびカーテン８を予め組み立てた状態とし、各磁力固定部材３を図１に示す所定位置に位置合わせするとともに吸磁力変更部材６のレバー６ａをオフからオンに切り換えて永久磁石５の吸磁力を最大に変更して磁力固定部材３を薄鋼板２に吸磁力によって固着させる。
【００４０】
これにより空間仕切り部材７のカーテン８が図１に示すように天井１から吊下された状態に設置される。設置後は、例えば衣服の試着室として利用することができる。カーテン８を開閉させることにより当該試着室を開閉させることとなる。
【００４１】
また、店舗内の模様替えに伴って試着室の位置を変える場合には、吸磁力変更部材６のレバー６ａをオンからオフに切り換えて永久磁石５の吸磁力を最小に変更して磁力固定部材３を薄鋼板２より取り外し、新しい設置場所に前記と同様の設置作業によって再設置する。
【００４２】
図１の空間仕切り部材７はカーテン８をコ字形の３辺に配置するようにしたが、例えば一直線状、波状や円弧状等にカーテン８を配置して、空間の間仕切りとして利用するように形成してもよい。また、１個の磁力固定部材３によって１個の空間仕切り部材７を支持するように形成してもよい。
【００４３】
また、カーテン８の上下の配置位置は、天井１から床までの全体または途中の一部としてもよい。
【００４４】
次に、本発明の第２実施形態を図３により説明する。
【００４５】
本実施形態の空間仕切り装置は、床１２から立ち上げるようにして形成されている。
【００４６】
更に説明すると、床１２の表面側の全面に第１実施形態と同様の強磁性体部材としての薄鋼板２が接着若しくは鋲止め等の固着方法によって床１２と一体となるように形成されている。薄鋼板２の表面には磁力固定部材３の吸磁力を阻害しない程度の床１２を装飾する樹脂層（有機樹脂、有機樹脂フィルム、無機物、あるいはこれらを組み合わせたもの）印刷層等の被覆等が施されていてもよい。薄鋼板２の板厚については、５０μｍ〜１０００μｍの範囲から空間を仕切る目的、吸磁力の大きさ等に応じて選択するとよい。また、薄鋼板２の設置領域は床１２の全体とする他に、予め設計された磁力固定部材３の位置変更位置に合わせた床１２の一部分としても良い。更に、薄鋼板２に変えて床部を形成する梁材等の鋼材としても良い。
【００４７】
薄鋼板２の表面としての上面には、吸磁力の大きさを変化させて強磁性体部材である薄鋼板２に着脱自在に取付けられる第１実施形態と同様の磁力固定部材３が固着されている。その吸磁力の大きさは、立ち上げる空間仕切り部材７に人等が衝突しても移動することがないように余裕をもって支持できる大きさに設定するとよい。
【００４８】
本実施形態においては、空間仕切り部材７として１辺のカーテン８と３辺のパネル１４とを用いるとともに、水平断面をロ字形とされた水平断面が閉領域とされた空間を開閉可能に形成して、例えば衣服の試着室を形成している。そのため、本実施形態においては、１辺のカーテン８と３辺のパネル１４をロ字形に設置するために、４辺の各端部に相当する４箇所にそれぞれ磁力固定部材３を設け、各磁力固定部材３の間にフレーム１５を立ち上げている。このフレーム１５は、各磁力固定部材３から上向きに立上げ形成された４本の支柱１５ａと、４本の支柱１５ａの上端を連結する上部枠部材１５ｂとによって形成されている。上部枠部材１５ｂのカーテン８が装着される部分にはカーテンレール１０が装着されており、カーテンレール１０にフック１１をもってカーテン８を吊下げている。３枚のパネル１４はそれぞれフレーム１５の支柱１５ａと上部枠部材１５ｂとにはめ込んで支持するとよい。
【００４９】
次に、本実施形態の作用を説明する。
【００５０】
本実施形態の空間仕切り装置を設置するには、予め床１２に強磁性体部材である薄鋼板２を床を形成する部材として固着させておく。これにより床１２には従来のような支持部材を設置する必要がなくなり、床の見栄えが非常に優れたものとなる。
【００５１】
更に、強磁性体部材が薄鋼板２であるために、床１２に設置容易であり、しかも既設の床にも簡単に設置することができる。
【００５２】
そして、本実施形態の空間仕切り装置を床１２に装着するには、４個の磁力固定部材３、フレーム１５、１辺のカーテン８および３辺のパネル１４を予め組み立てた状態とし、各磁力固定部材３を図３に示す所定位置に位置合わせするとともに吸磁力変更部材６のレバー６ａをオフからオンに切り換えて永久磁石５の吸磁力を最大に変更して磁力固定部材３を薄鋼板２に吸磁力によって固着させる。
【００５３】
これにより空間仕切り部材７の１辺のカーテン８および３辺のパネル１４が図３に示すように床１２から立ち上げられた状態に設置される。設置後は、例えば衣服の試着室として利用することができる。カーテン８を開閉させることにより当該試着室を開閉させることとなる。
【００５４】
また、店舗内の模様替えに伴って試着室の位置を変える場合には、吸磁力変更部材６のレバー６ａをオンからオフに切り換えて永久磁石５の吸磁力を最小に変更して磁力固定部材３を薄鋼板２より取り外し、新しい設置場所に前記と同様の設置作業によって再設置する。
【００５５】
図３の空間仕切り部材７は１辺のカーテン８および３辺のパネル１４を矩形に配置するようにしたが、例えば一直線状や円弧状等にカーテン８やパネル１４を配置して、空間の間仕切りとして利用するように形成してもよい。
【００５６】
また、カーテン８やパネル１４の上下の配置位置は、天井１から床１２までの全体または途中の一部としてもよい。
【００５７】
また、空間仕切り部材７としては、左右開閉型若しくは上下開閉型のカーテン、アコーデオンカーテン、ブラインド、パネル、ドア、扉の１種または複数種を組合わせて用いるとよい。
【００５８】
次に、本発明の第３実施形態を図４により説明する。
【００５９】
本実施形態の空間仕切り装置は、天井１と床１２との間の全体を仕切るようにして形成されている。前記各実施形態を同一部分には同一符号を付して詳細な説明を省力する。
【００６０】
更に説明すると、天井１および床１２の表面側の全面に前記各実施形態と同様の強磁性体部材としての薄鋼板２が接着若しくは鋲止め等の固着方法によって天井１および床１２と一体となるように形成されている。
【００６１】
本実施形態においては、図４に示すように、天井１と床１２との間の全長の長さと同等の長さを有する支柱１６の上下端部にそれぞれ第１実施形態と同様の磁力固定部材３を取付て、各磁力固定部材３の吸磁力の大きさを変化させて強磁性体部材である薄鋼板２に支柱１６を着脱自在に取付けられるように形成されている。その吸磁力の大きさは、空間仕切り部材７に人等が衝突しても移動することがないように余裕をもって支持できる大きさに設定するとよい。
【００６２】
本実施形態においては、空間仕切り部材７として２本の支柱１６によって支持されれるパネル１４と当該パネル１４にヒンジ１７ａを持って開閉自在に取付けられたドア１７を用いて形成されている。
【００６３】
次に、本実施形態の作用を説明する。
【００６４】
本実施形態の空間仕切り装置を設置するには、予め天井１および床１２に強磁性体部材である薄鋼板２を床を形成する部材として固着させておく。これにより天井１および床１２には従来のような支持部材を設置する必要がなくなり、天井および床の見栄えが非常に優れたものとなる。
【００６５】
更に、強磁性体部材が薄鋼板２であるために、天井１および床１２に設置容易であり、しかも既設の天井および床にも簡単に設置することができる。
【００６６】
そして、本実施形態の空間仕切り装置を天井１および床１２の間に装着するには、２本の支柱１６、ドア１７が組込まれたパネル１４を予め組み立てた状態とし、各磁力固定部材３を図４に示す所定位置に位置合わせするとともに吸磁力変更部材６のレバー６ａをオフからオンに切り換えて永久磁石５の吸磁力を最大に変更して磁力固定部材３を薄鋼板２に吸磁力によって固着させる。
【００６７】
これにより空間仕切り部材７の１辺のドア１７付きパネル１４が図４に示すように天井１および床１２の間の全体を覆う状態に設置される。設置後は、例えばドア１７をドアノブ１７ｂをもって開閉させて利用することができる。
【００６８】
また、店舗内の模様替えに伴ってドア１７付きパネル１４の位置を変える場合には、吸磁力変更部材６のレバー６ａをオンからオフに切り換えて永久磁石５の吸磁力を最小に変更して磁力固定部材３を薄鋼板２より取り外し、新しい設置場所に前記と同様の設置作業によって再設置する。
【００６９】
図４の空間仕切り部材７は１辺のドア１７付きパネル１４を配置するようにしたが、例えば他のパネルやカーテン等を連続的に設置して、空間の間仕切りとして利用するように形成してもよい。
【００７０】
以上の各実施形態のよう本発明は構成されているので、強磁性体部材を天井１若しくは床１２を形成する部材として設置することができるので、天井１および床１２の見栄えはよく、天井１若しくは床１２を形成する強磁性体部材に磁力固定部材３を吸磁力を変化させて着脱させることにより仕切り部材７を強磁性体部材に設置したり、その設置位置を変更させることができるので、仕切りの設置や仕切りパターンの変更を短時間にかつ容易に施すことができる。更に、既設の設置跡の修復作業も不要となる。
【００７１】
また、強磁性体部材を薄鋼板２とすると、天井１若しくは床１２に設置容易であり、しかも既設の天井１および床１２にも簡単に設置することができる。
【００７２】
また、磁力固定部材３が、吸磁力を有する永久磁石５と、前記永久磁石５による吸磁力を変更させる吸磁力変更部材６とを有するので、吸磁力変更部材６を操作することにより永久磁石５による吸磁力を変更させることができ、天井１若しくは床１２を形成する強磁性体部材（薄鋼板２）に対して磁力固定部材３を容易に着脱させることができ、作業時間を短縮させることができる。
【００７３】
また、空間仕切り部材７を単数若しくは複数の磁力固定部材３によって支持することができるので、磁力固定部材３による空間仕切り部材７の支持方式を複数設けることができ、多様な設置手法を利用することができる。
【００７４】
また、空間仕切り部材７としては、例えばカーテン８のように自身の形状を開閉変化させて空間の仕切り状態を可変自在に形成されているものを用いると、当該空間仕切り部材７を操作することにより、例えば、仕切り状態を開閉させるように変化させることができる。
【００７５】
また、空間仕切り部材７が前記各実施形態に示すように天井１から床１２までの全体または中途部を仕切るように形成されていると、天井１から床１２までの仕切り領域を目的に応じて変更させることができる。
【００７６】
また、空間仕切り部材７を単独または壁部材９と合わせることによって水平断面を閉じた閉領域を形成すると、水平断面を閉じた閉領域を種々のプライベート空間として提供することができる。
【００７７】
また、空間仕切り部材７を、カーテン８、アコーデオンカーテン、ブラインド、パネル１４、ドア１７、引き戸の１種または複数種を組合わせて形成することにより、各種の目的に対応して空間仕切り部材７を選択して利用することができる。
【００７８】
更に、天井１および床１２の少なくとも一方に強磁性体部材である薄鋼板２を設置することにより電磁シールド作用を発揮させることができ、電子機器の防御を図ることができる。空間全体の電磁シールド作用を高くするためには、天井１および床１２に加えて壁面にも強磁性体部材である薄鋼板２を設置するとよい。
【００７９】
なお、本発明は前記実施形態のみに限定されるものではなく、必要に応じて変更することができるものである。
【符号の説明】
【００８０】
１  天井
２  薄鋼板
３  磁力固定部材
５  永久磁石
６  吸磁力変更部材
７  空間仕切り部材
８  カーテン
１２  床
１４  パネル
１６  支柱
１７  ドア
【図１】
2011157732.tif 000003
【図２】
2011157732.tif 000004
【図３】
2011157732.tif 000005
【図４】
2011157732.tif 000006